(57)【要約】【課題】取り付けが容易で、作業効率がよく、漏水を防止し、耐久性が強化され、補修部分が目立たず、かつ環境や人体に無害なコンクリート壁の補修構造を提供する。【解決手段】Ｐコンないし木コンを撤去した後にモルタルまたは無収縮モルタルの充填材を埋め戻したＰコン跡または木コン跡を有するコンクリート壁と、前記Ｐコン跡または木コン跡を覆うようにコンクリート壁面に貼着された粘着テープと、前記コンクリート壁面に貼着された粘着テープの前記Ｐコン跡または木コン跡と対向する面に、コロイダルシリカ水性分散液を前記Ｐコン跡または木コン跡に注入するために、前記Ｐコン跡または木コン跡と粘着テープとの間が離間した隙間とからなることを特徴とするコンクリート壁の補修構造であって、前記隙間には、前記コンクリート壁面に貼着された粘着テープの接着面の前記Ｐコン跡または木コン跡と対向する面に、別のテープを貼着することにより、非接着面が設けられてなる。【選択図】図２
0003137982.tif 000002
【実用新案登録請求の範囲】
【請求項１】
Ｐコンないし木コンを撤去した後の凹部にモルタルまたは無収縮モルタルを埋め戻したＰコン跡または木コン跡を有するコンクリート壁と、
前記Ｐコン跡または木コン跡を覆うようにコンクリート壁面に貼着された粘着テープと、
前記コンクリート壁面に貼着された粘着テープの前記Ｐコン跡または木コン跡と対向する面に、コロイダルシリカ水性分散液を前記Ｐコン跡または木コン跡に注入するために、前記Ｐコン跡または木コン跡と粘着テープとの間が離間した隙間とからなるコンクリート壁の補修構造。
【請求項２】
前記Ｐコン跡または木コン跡と粘着テープとの間の離間した隙間には、前記コンクリート壁面に貼着された粘着テープの接着面の前記Ｐコン跡または木コン跡と対向する面に、別のテープを貼着することにより、非接着面が設けられてなる請求項１記載のコンクリート壁の補修構造。
【考案の詳細な説明】
【技術分野】
【０００１】
本考案は、コンクリート壁の補修構造に関する。さらに詳しくは、コンクリート壁のＰコンないし木コンを撤去した後の凹部にモルタルまたは無収縮モルタルを埋め戻したＰコン跡または木コン跡を覆うように貼着された粘着テープの前記Ｐコン跡または木コン跡と対向する面に、コロイダルシリカ水性分散液を前記Ｐコン跡または木コン跡に注入するための隙間が発生しているコンクリート壁の補修構造に関する。
【背景技術】
【０００２】
コンクリート構造物は、型枠に生コンクリートを打設することにより構築される。前記型枠には、コンクリート構造物の厚さを一定に保つために、Ｐコンまたは木コンが備えられたセパレーターと呼ばれる金属棒が設置される。Ｐコンまたは木コンは、コンクリートが硬化した後、撤去され、セパレーターはコンクリート内部に残置される。
【０００３】
硬化後のコンクリート内部の、セパレーター周囲は、コンクリートが重力により沈降する結果、前記セパレーターの下側とコンクリートとの間に空隙が生じ、強度の低下や漏水の原因となる。
【０００４】
このようなコンクリート構造物に生じたＰコンないし木コンを撤去した後の、前記Ｐコン跡または木コン跡（奥側）のコンクリート内部に残置されたセパレーターとコンクリートの間に生じた空隙の補修方法として、例えば、特許文献１には、コロイダルシリカ水性分散液を、前記Ｐコン跡または木コン跡にスプレーや刷毛を用いて塗布し、もしくは逆止弁やコンプレッサなどを用いて注入することにより浸透させて、コンクリート内部の防水結晶体の生成を促進し、前記Ｐコン跡または木コン跡を補修する方法が提案されている。
【０００５】
【特許文献１】特開２００６−１６９８４２号公報
【考案の開示】
【考案が解決しようとする課題】
【０００６】
しかし、前記のコロイダルシリカ水性分散液を、圧力をかけて、前記空隙に注入する方法では、逆止弁、注入器具、注入用ポンプ等の器具を用いるため、専門的な技術が必要とされ、手間とコストがかかる。また、前記分散液の注入箇所以外のＰコン跡または木コン跡から、前記分散液が漏出し、前記分散液を浪費してしまうという問題がある。
【０００７】
本考案は、上記従来の問題に鑑みてなされたものであり、従来の方法と比較して簡易かつ迅速に、コンクリート壁の補修を可能とするコンクリート壁の補修構造を提供することを目的としている。
【課題を解決するための手段】
【０００８】
本考案のコンクリート壁の補修構造は、Ｐコンないし木コンを撤去した後の凹部にモルタルまたは無収縮モルタルを埋め戻したＰコン跡または木コン跡を有するコンクリート壁と、前記Ｐコン跡または木コン跡を覆うようにコンクリート壁面に貼着された粘着テープと、前記コンクリート壁面に貼着された粘着テープの前記Ｐコン跡または木コン跡と対向する面に、コロイダルシリカ水性分散液を前記Ｐコン跡または木コン跡に注入するために、前記Ｐコン跡または木コン跡と粘着テープとの間が離間した隙間とからなることを特徴とする。
【０００９】
また、前記Ｐコン跡または木コン跡と粘着テープとの間の離間した隙間には、前記コンクリート壁面に貼着された粘着テープの接着面の前記Ｐコン跡または木コン跡と対向する面に、別のテープを貼着することにより、非接着面が設けられてなることが好ましい。
【考案の効果】
【００１０】
本考案のコンクリート壁の補修構造は、Ｐコンないし木コンを撤去した後の凹部にモルタルまたは無収縮モルタルを埋め戻したＰコン跡または木コン跡を有するコンクリート壁と、前記Ｐコン跡または木コン跡を覆うようにコンクリート壁面に貼着された粘着テープと、前記粘着テープの接着面の前記Ｐコン跡または木コン跡と対向する面に、コロイダルシリカ水性分散液を前記Ｐコン跡または木コン跡に注入ができるように発生した隙間とから構成されるが、前記粘着テープはコンクリート壁からの着脱が容易であるので、コンクリート壁の補修作業を簡易かつ迅速に行うことができる。また、前記コンクリート壁面と粘着テープとの間に設けられた隙間はポケット状であることから、コロイダルシリカ水性分散液は前記隙間外に漏出せず、前記分散液を無駄なく前記Ｐコン跡または木コン跡に充填し、前記Ｐコン跡または木コン跡（奥側）のコンクリート内部に残置されたセパレーターとコンクリートとの間に生じた空隙に効率よく浸透させることができる。これにより、前記分散液とコンクリート成分の化学反応により結晶体が形成された補修箇所は、前記Ｐコン跡または木コン跡が充填され、耐久性・防水性が向上すると共に、内部の緻密化作用により表面劣化も防止できる。さらに、前記分散液は、コンクリート壁中に浸透する無色の液体であるため、補修部分が目立たず、外観の印象を美しく仕上げることができる。
【００１１】
前記補修作業に用いる前記分散液は、環境や人体に無害であるので、廃液処理しやすく安全である。
【考案を実施するための最良の形態】
【００１２】
以下、添付図面を参照して、本考案を詳細に説明する。
【００１３】
図１は、本考案のコンクリート壁の補修構造の正面図であり、図２は、本考案の実施の形態におけるコロイダルシリカ水性分散液注入時の断面図である。
【００１４】
図１および図２に示されるように、本考案のコンクリート壁の補修構造Ｓは、Ｐコンまたは木コンが撤去された後の凹部にモルタルまたは無収縮モルタルの充填材Ｍを埋め戻したＰコン跡または木コン跡３を有するコンクリート壁１と、前記Ｐコン跡または木コン跡３を覆うようにコンクリート壁１に貼着された粘着テープ４と、前記粘着テープ４の接着面６の前記Ｐコン跡または木コン跡３と対向する面に、コロイダルシリカ水性分散液８を前記Ｐコン跡または木コン跡３に注入ができるように発生した隙間５とから構成されている。
【００１５】
打設されたコンクリート壁１は、凝固後、Ｐコンまたは木コンが撤去され、コンクリート壁の外表面に凹部３が形成されている。また、前記凹部３（奥側）のコンクリート内部に金属棒状体のセパレーター２が残置され、前記セパレーター２の周囲には、コンクリートが重力により沈降する結果、前記セパレーター２の下側とコンクリートとの間に空隙Ｘが生じている。前記Ｐコンまたは木コンを撤去した後に形成された凹部には、モルタル、セメントなどの充填材Ｍを用いて埋め戻すが、前記の埋め戻した箇所にはＰコン跡または木コン跡３が残る。
【００１６】
前記粘着テープ４は、前記Ｐコン跡または木コン跡３を覆うようにコンクリート壁１に貼着されるが、前記粘着テープ４の接着面６の前記Ｐコン跡または木コン跡３と対向する面に、非接着面を有するテープを貼着することにより、前記粘着テープ４のコンクリート壁１と対向する面に非接着面７が設けられ、前記Ｐコン跡または木コン跡３と粘着テープ４との間に隙間５が形成される。前記非接着面７は、粘着テープ４にあらかじめ非接着面７を設けることによって形成してもよい。
【００１７】
図２に示されるように、前記Ｐコン跡または木コン跡３を補修するためのコロイダルシリカ水性分散液８は、注入器具９を用いて前記隙間５から注入される。前記注入器具９として、噴霧器、柄杓、シリンジなど当業者に自明の注入器具９が用いられる。
【００１８】
前記粘着テープ４は、前記非接着面７を取り囲むように前記非接着面７の周囲が前記粘着テープ４によりコンクリート壁１に貼着され、前記非接着面７のコンクリート壁上側には、前記コロイダルシリカ水性分散液を注入するための隙間５が設けられたポケット状の構造を有する。これにより、前記隙間５には一定量の前記コロイダルシリカ水性分散液８を溜めることができ、前記隙間５外には、前記コロイダルシリカ水性分散液８が漏出しないことから、前記Ｐコン跡または木コン跡３に前記コロイダルシリカ水性分散液８を無駄なく充填し、前記空隙Ｘに効率よく浸透させることができる。なお、コンクリート壁１に貼着される粘着テープ４には、ガムテープが用いられるが、ガムテープに限定されるものではなく、当業者に自明の各種テープを用いることができる。
【００１９】
本考案の実施の形態では、前記Ｐコン跡または木コン跡３の直径は３０ｍｍであり、それに対応する前記粘着テープ４の非接着面７も直径３０ｍｍの円形としている。非接着面７の両側面に設けられた前記コンクリート壁１と粘着テープ４との接着面６の幅は、それぞれ５０ｍｍとしているが、前記粘着テープ４は、前記Ｐコン跡または木コン跡３の直径、深さに応じて、例えば、約５０〜２００ｍｍの幅の範囲で自由に変更することができる。
【００２０】
前記コロイダルシリカ水性分散液８は、前記隙間５に溜められ、前記Ｐコン跡または木コン跡３に満たされ、前記空隙Ｘに浸透していく。前記コロイダルシリカ水性分散液８は、注入直後からコンクリート成分と化学反応して防水結晶体の形成を開始するが、流動性を失う程度に結晶化するには、数時間から約１日を要する。そのため、前記コロイダルシリカ水性分散液８の充填時には、結晶化することなく微細な空隙Ｘに充分に浸透し、コンクリート壁１の補修箇所の耐久性を効率よく強化することができる。
【００２１】
作業終了後に、前記粘着テープ４をコンクリート壁１から剥がすだけで前記補修作業は終了する。前記コロイダルシリカ水性分散液８は、コンクリート壁中に浸透する無色の液体であるため、補修箇所が目立たず美しい仕上がりとなる。また、特殊な機材、設備を扱う必要がなく、専門的な技術も不要であるので、簡易かつ迅速に前記補修作業を行うことができる。
【００２２】
以上、本考案のコンクリート壁の補修構造Ｓは、Ｐコンないし木コンを撤去した後にモルタルまたは無収縮モルタルの充填材Ｍを埋め戻したＰコン跡または木コン跡３を覆うようにコンクリート壁１に粘着テープ４を貼着し、前記粘着テープ４に設けられた隙間５からコロイダルシリカ水性分散液８を前記Ｐコン跡または木コン跡３に注入し、浸透させることができる。これにより、補修作業を簡易かつ迅速に行うことができるコンクリート壁の補修構造Ｓを提供することができる。また、前記コロイダルシリカ水性分散液８は前記Ｐコン跡または木コン跡３外に漏出しないため、無駄がなく効率的な補修作業を行うことができる。さらに、前記コロイダルシリカ水性分散液８は、コンクリート壁中に浸透する無色の液体であるため、補修部分が目立たず、環境や人体に無害である。
【図面の簡単な説明】
【００２３】
【図１】本考案のコンクリート壁の補修構造の正面図である。
【図２】本考案の実施の形態におけるコロイダルシリカ水性分散液注入時の断面図である。
【符号の説明】
【００２４】
Ｓ    コンクリート壁の補修構造
１    コンクリート壁
２    セパレーター
３    Ｐコン跡または木コン跡
Ｘ    空隙
Ｍ    充填材
４    粘着テープ
５    隙間
６    接着面
７    非接着面
８    コロイダルシリカ水性分散液
９    注入器具
【図１】
0003137982.tif 000003
【図２】
0003137982.tif 000004